(57)【要約】【課題】照明器具と一体的に設置することができ、照明器具が不要な場合にも個別の給電装置として利用することができる給電装置を提供する。【解決手段】給電装置１０は、クランプ機構１６によって天板１４の端部にクランプ固定可能に構成されている。給電装置１０は、筐体２６と、筐体２６の外面に設けられた第１電源供給部３０及び第２電源供給部３２と、筐体２６の上面２６ａに開口し、照明器具１８を着脱可能に保持する照明器具着脱部２８とを備え、照明器具着脱部２８に照明器具１８の連結棒１８ａを挿入することで、照明器具１８を回動可能に保持することができる。【選択図】図１
2015008082.tif 000002
【特許請求の範囲】
【請求項１】
クランプ機構によって板部材の端部にクランプ固定可能な給電装置であって、
筐体と、
前記筐体の外面に複数設けられた電源供給部と、
前記筐体の上面に開口し、照明器具を着脱可能に保持する照明器具着脱部と、
を備えることを特徴とする給電装置。
【請求項２】
請求項１記載の給電装置において、
前記電源供給部は、少なくとも前記筐体の前面及び上面に設けられていることを特徴とする給電装置。
【請求項３】
請求項２記載の給電装置において、
前記筐体の上面に設けられた電源供給部は、前記照明器具着脱部の後方位置に設けられていることを特徴とする給電装置。
【請求項４】
請求項３記載の給電装置において、
前記照明器具着脱部は、前記照明器具を回動可能に保持するものであることを特徴とする給電装置。
【請求項５】
請求項１〜４のいずれか１項に記載の給電装置において、
当該給電装置の配線は、前記筐体の下面且つ前記クランプ機構の後方となる位置から導出されることを特徴とする給電装置。
【請求項６】
請求項１〜５のいずれか１項に記載の給電装置において、
前記クランプ機構は、前記筐体の下面から下方に突出し、前記板部材の端部にクランプ保持される金具と、
前記金具を上下動させる駆動ねじ部とを備え、
前記照明器具着脱部は、前記駆動ねじ部に同軸に形成された穴部であることを特徴とする給電装置。
【発明の詳細な説明】
【技術分野】
【０００１】
本発明は、学習机の天板等にクランプ固定して使用される給電装置に関する。
【背景技術】
【０００２】
児童用の学習机等で利用される照明器具や電子機器への電源供給用の装置として、机の天板やその上に設置される本棚の棚板等に固定可能な給電装置が提案されている（例えば、特許文献１参照）。この給電装置は、机の天板等にビス止め等で固定されるものであり、複数の電源供給部（コンセント）を横並びで設けている。
【０００３】
通常、学習机の天板等には、上記のような給電装置の他に、タスクライト等の照明器具が取り付けられる。ところが、上記従来構成の給電装置を取り付けた場合、天板上面等の限られたスペースに、照明器具と給電装置とが並んで配置されることになり、机上のスペースを有効に利用することが難しくなる。
【０００４】
他方、特許文献２には、学習机用の照明器具の本体部に給電装置を組み込んだ構成が提案されている。この構成の場合には、照明器具と給電装置とを一体的に机上に設置することができ、机上のスペースを大きく確保することができる。
【先行技術文献】
【特許文献】
【０００５】
【特許文献１】特開２０００−２９５７４６号公報
【特許文献２】特開２００１−２３４０８号公報
【発明の概要】
【発明が解決しようとする課題】
【０００６】
上記特許文献２の構成は、照明器具と給電装置とを一体的に天板にビス止めするものとなっている。このため、給電装置を必要としつつ照明器具が不要な状況となった場合があっても、照明器具のみを容易に取り外すことはできず、不要な照明器具が却って机上のスペースを邪魔することになり兼ねない。
【０００７】
本発明は、上記従来技術の課題を考慮してなされたものであり、照明器具と一体的に設置することができ、照明器具が不要な場合にも個別の給電装置として利用することができる給電装置を提供することを目的とする。
【課題を解決するための手段】
【０００８】
本発明に係る給電装置は、クランプ機構によって板部材の端部にクランプ固定可能な給電装置であって、筐体と、前記筐体の外面に複数設けられた電源供給部と、前記筐体の上面に開口し、照明器具を着脱可能に保持する照明器具着脱部とを備えることを特徴とする。
【０００９】
このような構成によれば、照明器具着脱部に対して照明器具を装着することで、照明器具を給電装置と一体的に設置することができ、これら給電装置及び照明器具を任意の位置に容易に設置することができる。このため、当該給電装置が設置される机上等のスペース等を有効に利用することが可能となる。さらに、当該給電装置では、照明器具を照明器具着脱部によって着脱可能に設置することができるため、照明器具が不要な場合には、給電装置をそのまま単独で利用することができ、高い利便性が得られる。しかも、当該給電装置には、複数の電源供給部が設けられるため、そのうち、一方の電源供給部を照明器具用として使用しても、他方の電源供給部に対して他の電子機器等を接続することができ、さらに高い利便性が得られる。
【００１０】
前記電源供給部は、少なくとも前記筐体の前面及び上面に設けられていることが好ましい。そうすると、照明器具着脱部と同じ筐体の上面に設けられた電源供給部を照明器具用の電源供給部として利用し易い構造とすることができる。さらに、他方の電源供給部は筐体の前面に設けられているため、当該給電装置が取り付けられた机上等でパーソナルコンピュータ等の電子機器を使用する際に利用し易い構造となる。
【００１１】
前記筐体の上面に設けられた電源供給部は、前記照明器具着脱部の後方位置に設けられていると、照明器具の電源プラグや電源線を目立たない箇所で処理することができる。
【００１２】
この場合、前記照明器具着脱部は、前記照明器具を回動可能に保持するものであると、該照明器具着脱部の後方に電源供給部を設けたスペースが配置されているため、該電源供給部上方の空きスペースを照明器具の回動スペースとして有効に活用することができる。
【００１３】
当該給電装置の配線は、前記筐体の下面且つ前記クランプ機構の後方となる位置から導出されるものであると、配線が邪魔になることを防止できる。
【００１４】
前記クランプ機構は、前記筐体の下面から下方に突出し、前記板部材の端部にクランプ保持される金具と、前記金具を上下動させる駆動ねじ部とを備え、前記照明器具着脱部は、前記駆動ねじ部に同軸に形成された穴部であると、回転操作される駆動ねじ部の軸中心部分を有効に活用して、照明器具を着脱する照明器具着脱部を設けることができ、当該給電装置をコンパクトな構成にすることができる。
【発明の効果】
【００１５】
本発明によれば、照明器具着脱部に対して照明器具を装着することで、照明器具を給電装置と一体的に使用することができ、且つこれら給電装置及び照明器具を任意の位置に容易に設置することができる。このため、当該給電装置が設置される机上等のスペース等を有効に利用することが可能となる。さらに、照明器具を照明器具着脱部によって着脱可能に設置することができるため、照明器具が不要な場合には、給電装置をそのまま単独で利用することができ、高い利便性が得られる。
【図面の簡単な説明】
【００１６】
【図１】図１は、本発明の一実施形態に係る給電装置を机の天板上に取り付けた状態を示す一部省略斜視図である。
【図２】図２は、図１に示す給電装置の斜視図である。
【図３】図３は、図２に示す給電装置の左右方向の中心線に沿った側面断面図である。
【図４】図４は、図３に示す給電装置の筐体を構成するベースプレート部材の平面図である。
【発明を実施するための形態】
【００１７】
以下、本発明に係る給電装置について好適な実施の形態を挙げ、添付の図面を参照しながら詳細に説明する。
【００１８】
図１は、本発明の一実施形態に係る給電装置１０を机１２の天板１４上に取り付けた状態を示す一部省略斜視図であり、図２は、図１に示す給電装置１０の斜視図である。給電装置１０は、クランプ機構１６によって天板１４のような板部材の端部にクランプ固定されることで、図示しないパーソナルコンピュータ等の電子機器への電源供給用の装置として機能し、同時に照明器具１８の天板１４への取付用ブラケット兼電源供給用の装置としても機能するものである。
【００１９】
図１に示すように、給電装置１０の取付対象の一例である机１２は、天板１４と、天板１４の後方に設けられた背面板２０と、天板１４の側方に設けられた側板２２とから構成されている。机１２は、例えば、児童用の学習机であり、天板１２の下面側には、机１２の手前側に引出し可能に設置された引出し２１が設けられている。天板１４の背面板２０及び側板２２との境界となる後端隅部には、該天板１４を板厚方向（上下方向）に貫通させるように切り欠いた切欠部１４ａが形成されている。給電装置１０は、机１２の天板１４上に設置され、図示しない書籍や文具等の収納用として利用される本棚の棚板等に取り付けて使用することもできる。
【００２０】
以下、図１に示すように机１２に設置された給電装置１０について、机１２を正面から見た方向で、手前側を前方、奥側を後方、横方向をそれぞれ左右方向と規定して各要素の構成及び位置関係を説明する。
【００２１】
図１に示すように、給電装置１０は、クランプ機構１６のクランプ金具２４を天板１４の切欠部１４ａを通して該天板１４の下面側まで渡らせることで、天板１４の後端部にクランプ固定されて使用される。背面板２０が設置されず、又は天板１４の後端部が背面板２０より後方に突出している構造等であって、切欠部１４ａが形成されていない場合等には、クランプ金具２４を天板１４の後端縁部に対して直接クランプしても勿論よい。
【００２２】
図２に示すように、給電装置１０は、箱状の筐体２６と、筐体２６の下面から下方に突出したクランプ金具（金具）２４を有するクランプ機構１６と、筐体２６の上面２６ａに開口した照明器具着脱部２８と、筐体２６の前面２６ｂに設けられた第１電源供給部３０と、筐体２６の上面２６ａの後部に設けられた第２電源供給部３２とを備える。
【００２３】
第１電源供給部３０は、筐体２６の前面２６ｂに設けられ、図示しない電子機器等の電源プラグを水平方向に接続するためのコンセント（プラグ差込口）である。第２電源供給部３２は、筐体２６の上面２６ａに設けられ、照明器具１８の電源プラグ３４（図１参照）を鉛直方向に接続するためのコンセントである。照明器具１８を設置しない場合には、第２電源供給部３２は、前記電子機器等のためのコンセントとして利用するとよい。
【００２４】
図３は、図２に示す給電装置１０の左右方向の中心線に沿った側面断面図である。図４は、図３に示す給電装置１０の筐体２６を構成するベースプレート部材３６の平面図である。
【００２５】
図２及び図３に示すように、筐体２６は、平面視で矩形に形成されると共に、側面視で前部が低く形成された箱状である。筐体２６は、その底面を構成するベースプレート部材３６と、ベースプレート部材３６の上方を蓋することで該筐体２６の底面を除く外面全体を構成するカバー部材３８とを備える。
【００２６】
図３及び図４に示すように、ベースプレート部材３６は、筐体２６の下面となるプレート部４０を有する。プレート部４０の上面には、前方から後方に向かって順に、矩形筒状の第１取付台４２と、円筒状の中央連結部４４と、矩形状のクランプ収納凹部４６とが形成されている。クランプ収納凹部４６の上面には、上下方向の貫通孔４８と、矩形筒状の第２取付台５０とが設けられている。
【００２７】
図２及び図３に示すように、カバー部材３８は、ベースプレート部材３６の上方を覆うように配置される矩形ドーム状の部材である。カバー部材３８の内部空間の天面には、前方から後方に向かって順に、小径円筒状の中央雌ねじ突部５２と、大径円筒状の駆動ねじ収納部５４とが設けられている。また、カバー部材３８の前面２６ｂには、矩形の第１孔部３８ａが開口形成され、上面２６ａには、矩形の第２孔部３８ｂが開口形成されている。
【００２８】
ベースプレート部材３６において、第１取付台４２は、第１電源供給部３０を筐体２６の内部で固定支持するためのものであり、図３に示すように、第１電源供給部３０が略水平方向を向いた横倒し姿勢で図示しないコンセントホルダを介して固定される。第１取付台４２に固定された第１電源供給部３０は、そのプラグ接続部３０ａがカバー部材３８の第１孔部３８ａに嵌合される。略同様に、第２取付台５０は、第２電源供給部３２を筐体２６の内部で固定支持するためのものであり、図３に示すように、第２電源供給部３２が上下方向を向いた起立姿勢で固定される。第２取付台５０に固定された第２電源供給部３２は、そのプラグ接続部３２ａがカバー部材３８の第２孔部３８ｂに嵌合される。
【００２９】
図３及び図４に示すように、プレート部４０の後端部の一方の角部には、該角部を切り欠いて上下方向を貫通させた配線挿通孔４０ａが形成されている。第１電源供給部３０の一対の端子３０ｂ，３０ｂからの電源線（配線）５５ａ，５５ａが、第２電源供給部３２の一対の端子３２ｂ，３２ｂに接続され、端子３２ｂ，３２ｂからの電源線（配線）５５ｂ，５５ｂが一まとめに括られた電源線（配線）５５として配線挿通孔４０ａを挿通し、筐体２６の下方へと導出される。電源線５５は、図示しない電源プラグによって、図示しない室内の壁面等に設置された電源供給部（コンセント）に接続される。
【００３０】
中央連結部４４は、図３に示すように、カバー部材３８の中央雌ねじ突部５２とその頂面同士が当接配置される。中央連結部４４の底部開口から挿入された図示しないねじが中央雌ねじ突部５２の雌ねじに螺合されることにより、ベースプレート部材３６とカバー部材３８とが連結される。この際、プレート部４０の縁部は、カバー部材３８の下端内縁部と嵌合される。また、プレート部４０の上面であって第１取付台４２の左右両側には、一対の側方連結部５７，５７が突出形成されている。側方連結部５７は、第１取付台４２上に載置された第１電源供給部３０のコンセントホルダ（図示せず）をプレート部４０に対して固定するためのビスが締結される。
【００３１】
クランプ収納凹部４６は、クランプ機構１６のクランプ金具２４を上下動可能に且つ回転不能な状態で収納するものである。図３に示すように、クランプ収納凹部４６には、側面視コの字形状のクランプ金具２４の上辺部２４ａと鉛直部２４ｂの一部を収納することができる。クランプ収納凹部４６には、さらに、クランプ金具２４を上下動させるための駆動ねじ５６のねじ部が突出配置されている。
【００３２】
貫通孔４８は、図３に示すように、カバー部材３８の駆動ねじ収納部５４の中心に貫通形成された貫通孔５４ａと同径であって互いに同軸配置されており、これら貫通孔４８，５４ａに駆動ねじ５６のねじ部が挿通される。
【００３３】
図２及び図３に示すように、クランプ機構１６は、側面視コの字形状のクランプ金具２４と、クランプ金具２４を上下動させる駆動ねじ５６を有した駆動ねじ部５８を備える。
【００３４】
クランプ金具２４は、上記したクランプ収納凹部４６内に収納される上辺部２４ａ及び鉛直部２４ｂと、鉛直部２４ｂの下端から前方に屈曲した下辺部２４ｃとから構成されている。図３に示すように、下辺部２４ｃは、その上面とベースプレート部材３６のプレート部４０の下面との間に天板１４をクランプする部分である。下辺部２４ｃの先端上面には、クランプした天板１４でのがたや破損を防止するためのクッション材５９が貼着されている。
【００３５】
駆動ねじ部５８は、クランプ金具２４の上辺部２４ａの先端中央に貫通形成されたねじ孔２４ｄに螺合された駆動ねじ５６と、駆動ねじ５６の頭部と回転不能に連結される操作部６０とを備える。図２及び図３に示すように、操作部６０は、人手によって把持されて回転操作される扁平円筒状の頂部６０ａと、頂部６０ａの内側中心から下方へと延在した長尺な筒部６０ｂとから構成されている。
【００３６】
筒部６０ｂの内部空間下部には、駆動ねじ５６の平面視六角形状の頭部と嵌合し、この駆動ねじ５６と回転不能に連結される連結孔部６０ｃと、駆動ねじ５６のねじ部が挿通される貫通孔６０ｄとが形成されている。一方、筒部６０ｂの内部空間は、連結孔部６０ｃより上方が円形の穴部となっており、この円形の穴部が照明器具１８の連結棒１８ａが着脱可能に挿入される照明器具着脱部２８として機能することになる（図１及び図３参照）。
【００３７】
図１に示すように、上記のような照明器具着脱部２８への着脱対象の一例である照明器具１８は、連結棒１８ａを下面から突出させたベース部１８ｂと、ベース部１８ｂの上部から上方へと延在し、図示しない回動部等を介して先端に図示しないＬＥＤランプ等を保持するアーム部１８ｃと、ベース部１８ｂから導出され、先端に電源プラグ３４を設けた電源線３４ａとを備える。照明器具１８は、給電装置１０の照明器具着脱部２８へと着脱可能な連結棒１８ａを有するものであれば、公知の照明器具を用いればよい。
【００３８】
次に、以上のように構成される給電装置１０の天板１４への取付方法と、天板１４に取り付けた給電装置１０への照明器具１８の取付方法について説明する。
【００３９】
先ず、給電装置１０を天板１４に取り付ける際には、駆動ねじ部５８の操作部６０の頂部６０ａを把持し、クランプ金具２４を送り出す所定の回転方向（例えば、反時計方向）へと回転させる。そうすると、図３に示すように、頂部６０ａと一体の筒部６０ｂも回転し、該筒部６０ｂに対して連結孔部６０ｃによって回転不能に連結された駆動ねじ５６が、貫通孔４８，５４ａ，６０ｄに軸支されつつ上下方向一定位置で回転する。この駆動ねじ５６の回転により、クランプ収納凹部４６内で回転不能に保持され、駆動ねじ５６のねじ部にねじ孔２４ｄが螺合されたクランプ金具２４が下方へと送り出され、図３中の実線で示す下方位置となる。つまり、クランプ機構１６が開放位置となる。
【００４０】
続いて、クランプ金具２４の下辺部２４ｃを天板１４の切欠部１４ａに通し、天板１４の上面に筐体２６を載置し、天板１４の下面側に下辺部２４ｃを配置する（図３参照）。そこで、今度は、操作部６０の頂部６０ａを、クランプ金具２４を引き戻す回転方向（例えば、時計方向）へと回転させる。これにより、クランプ金具２４が上方へと引き戻され、図３中の２点鎖線で示すように、下辺部２４ｃの上面（クッション材５９）とベースプレート部材３６のプレート部４０の下面との間に天板１４がクランプされ、筐体２６の後面２６ｃが机１２の背面板２０上に配置されて給電装置１０の天板１４の取付作業が完了する。つまり、クランプ機構１６が固定位置となる。
【００４１】
一方、給電装置１０を天板１４から取り外す際には、操作部６０を回転操作してクランプ機構１６を開放位置とした後、クランプ金具２４を天板１４の切欠部１４ａから引き抜けばよい。
【００４２】
次に、このように天板１４上に固定された給電装置１０に照明器具１８を取り付ける際には、図１及び図３に示すように、照明器具１８のベース部１８ｂやアーム部１８ｃを把持し、その下端から突出した連結棒１８ａを、照明器具着脱部２８である操作部６０の筒部６０ｂ内へと上方から挿入する。これにより、連結棒１８ａが筒部６０ｂ内で回動可能に挿入・保持されるため、照明器具１８が回動可能な状態で給電装置１０に装着されたことになる。そこで、照明器具着脱部２８の上面２６ａ上で上方を向いて開口した第２電源供給部３２に対し、電源プラグ３４を鉛直方向から接続することにより、照明器具１８の取付作業が完了する。
【００４３】
一方、照明器具１８を給電装置１０から取り外す際には、電源プラグ３４を第２電源供給部３２から抜き、連結棒１８ａを照明器具着脱部２８から上方へと引き抜けばよい。
【００４４】
以上のように、本実施形態に係る給電装置１０は、クランプ機構１６によって天板１４の端部にクランプ固定可能に構成されており、筐体２６と、筐体２６の外面に複数（本実施形態では２個）設けられた第１電源供給部３０及び第２電源供給部３２と、筐体２６の上面２６ａに開口し、照明器具１８を着脱可能に保持する照明器具着脱部２８とを備える。
【００４５】
従って、照明器具着脱部２８に対して照明器具１８を装着することで、照明器具１８を給電装置１０と一体的に設置することができ、これら給電装置１０及び照明器具１８を任意の位置に容易に設置することができるため、机１２の天板１４上のスペースを有効に利用することが可能となる。さらに、給電装置１０では、照明器具１８を照明器具着脱部２８によって着脱可能に設置することができるため、照明器具１８が不要な場合には、給電装置１０をそのまま単独で利用することができ、高い利便性が得られる。しかも、給電装置１０には、複数の電源供給部（第１電源供給部３０及び第２電源供給部３２）が設けられるため、そのうち、一方の第２電源供給部３２を照明器具１８用として用いても、他方の第１電源供給部３０に対して他の電子機器等を接続することができ、さらに高い利便性が得られる。
【００４６】
当該給電装置１０では、電源供給部のうち、第１電源供給部３０が筐体２６の前面２６ｂに設けられ、第２電源供給部３２が筐体２６の上面２６ａに設けられている。これにより、照明器具１８の連結棒１８ａを上方から鉛直方向に挿入する照明器具着脱部２８と同じ上面２６ａに設けられた第２電源供給部３２を該照明器具１８用の電源供給部として利用し易い構造となっている。さらに、他方の第１電源供給部３０は筐体２６の前面２６ｂに設けられているため、机１２の天板１４上でパーソナルコンピュータ等の電子機器を使用する際に利用し易い構造となっている。
【００４７】
この場合、筐体２６の上面２６ａに設けられた第２電源供給部３２は、照明器具着脱部２８の後方位置に設けられているため、照明器具１８の電源プラグ３４や電源線３４ａを目立たない箇所で処理することができる。そこで、照明器具１８の電源線３４ａの長さを必要最小限に形成しておけば、該電源線３４ａが天板１４上でほとんど邪魔にならず、照明器具１８を装着した際の外観が向上する。また、給電装置１０では、照明器具１８を着脱する照明器具着脱部２８の間近に第２電源供給部３２が設けられているため、電源プラグ３４の接続が容易であるという利点もある。
【００４８】
照明器具着脱部２８は、照明器具１８を回動可能に保持するものであり、その後方に第２電源供給部３２を設けたスペースが配置されているため、該第２電源供給部３２上方の空きスペースを照明器具１８の回動スペースとして有効に活用することができる。換言すれば、当該給電装置１０では、照明器具１８を回動可能に照明器具着脱部２８に着脱できる構成のため、この照明器具着脱部２８の後方に照明器具１８のアーム部１８ｃ等が回動するためのスペースをある程度確保しておく必要がある。そこで、当該給電装置１０では、この照明器具１８の回動を許容するためのスペースに第２電源供給部３２を設けたことにより、デッドスペースを有効に活用し、さらに照明器具１８の電源プラグ３４や電源線３４ａを目立たない箇所に配置しておくことも可能となっている。
【００４９】
当該給電装置１０の電源線５５は、筐体２６の下面且つクランプ機構１６の後方となる位置（配線挿通孔４０ａ）から下方へと導出される。これにより、天板１４に給電装置１０をクランプして取り付けた場合であっても、背面板２０に電源線５５が干渉することがなく、電源線５５が目立つこともない。
【００５０】
当該給電装置１０において、クランプ機構１６は、筐体２６の下面から下方に突出し、天板１４の端部にクランプ保持されるクランプ金具２４と、クランプ金具２４を上下動させる駆動ねじ部５８とを備え、照明器具着脱部２８は、駆動ねじ部５８に同軸に形成された穴部によって構成されている。これにより、回転操作される駆動ねじ部５８の軸中心部分を有効に活用して、照明器具１８を回動可能に着脱する照明器具着脱部２８を設けることができ、当該給電装置１０をコンパクトな構成にすることができる。また、照明器具１８を照明器具着脱部２８に装着したままでも、駆動ねじ部５８を円滑に操作することができるため、クランプ機構１６の増し締め等の後処理も容易である。
【００５１】
なお、本発明は、上記した実施形態に限定されるものではなく、本発明の主旨を逸脱しない範囲で自由に変更できることは勿論である。
【００５２】
例えば、上記実施形態では、第１電源供給部３０及び第２電源供給部３２の２つの電源供給部を給電装置１０に設けたが、その設置数は３つ以上としても勿論よい。
【符号の説明】
【００５３】
１０  給電装置
１２  机
１４  天板
１６  クランプ機構
１８  照明器具
２４  クランプ金具
２６  筐体
２６ａ  上面
２６ｂ  前面
２８  照明器具着脱部
３０  第１電源供給部
３２  第２電源供給部
３４  電源プラグ
３４ａ，５５，５５ａ，５５ｂ  電源線
３６  ベースプレート部材
３８  カバー部材
４０ａ  配線挿通孔
５６  駆動ねじ
５８  駆動ねじ部
６０  操作部
６０ａ  頂部
６０ｂ  筒部
【図１】
2015008082.tif 000003
【図２】
2015008082.tif 000004
【図３】
2015008082.tif 000005
【図４】
2015008082.tif 000006